(57)【要約】【課題】対象となる建物の壁面部が上部ほど奥側または手前側に位置する場合であっても、比較的簡単な構造で安定した設置が可能な作業足場の設置構造の提供。【解決手段】一対の支柱部材１、２と、一対の支柱部材１、２間に架設する梁部材３と、梁部材３に沿って架設する作業用の足場板４とを備えた作業足場セットＳの複数が、建物Ｂの壁面部Ｗ１の近傍に設置される作業足場の設置構造で、建物Ｂが上部ほど奥側または手前側に位置する壁面部Ｗ１を備え、複数の作業足場セットＳが、各一対の支柱部材１、２を壁面部Ｗ１の両側方に立設し、かつ、各足場板４を壁面部Ｗ１に対応した状態で高さを異ならせて設置される。【選択図】図１
2015055058.tif 000002
【特許請求の範囲】
【請求項１】
一対の支柱部材と、その一対の支柱部材間に架設する梁部材と、その梁部材に沿って架設する作業用の足場板とを備えた作業足場セットの複数が、建物の壁面部の近傍に設置される作業足場の設置構造であって、
前記建物が上部ほど奥側または手前側に位置する壁面部を備え、前記複数の作業足場セットが、各一対の支柱部材を前記壁面部の両側方に立設し、かつ、各足場板を前記壁面部に対応した状態で高さを異ならせて設置される作業足場の設置構造。
【請求項２】
前記建物が上部ほど奥側に位置する壁面部を備え、前記梁部材のうちの上方に位置する梁部材が、前記壁面部の下方部分を跨ぐ状態で設置される請求項１に記載の作業足場の設置構造。
【請求項３】
前記梁部材が、スパンの大なる梁枠で構成される請求項１または２に記載の作業足場の設置構造。
【請求項４】
前記各一対の支柱部材のうちの一方の支柱部材が、前記複数の作業足場セットの一方の支柱部材を兼用する請求項１〜３のいずれか１項に記載の作業足場の設置構造。
【発明の詳細な説明】
【技術分野】
【０００１】
本発明は、一対の支柱部材と、その一対の支柱部材間に架設する梁部材と、その梁部材に沿って架設する作業用の足場板とを備えた作業足場セットの複数が、建物の壁面部の近傍に設置される作業足場の設置構造に関する。
【背景技術】
【０００２】
このような作業足場としては、例えば、山間部の傾斜地上に複数の支柱部材を立設し、その支柱部材間にわたって複数の梁部材を架設し、その梁部材上に作業台を載置した構造のものが知られている（例えば、特許文献１参照）。
また、上部ほど奥側に位置する傾斜壁面を有するバラ積船の積み荷室を対象とし、多数の支柱部材や梁部材などを使用して、上方に位置する作業用の足場板が傾斜壁面に近接するように、その足場板を下方に位置するベース部（ベース台車）に対して傾斜壁面側にオーバーハング状に突出させた作業足場も知られている（例えば、特許文献２参照）。
【先行技術文献】
【特許文献】
【０００３】
【特許文献１】実開昭５５−９９３４１号公報
【特許文献２】特開２００８−１６９６２４号公報
【発明の概要】
【発明が解決しようとする課題】
【０００４】
しかし、上記特許文献１に記載の作業足場は、建物の壁面部を対象とする作業足場ではなく、傾斜地上に平坦な作業足場を設置するものであり、傾斜地上に複数の支持部材を立設する構造であるから、例えば、上部ほど奥側に位置する建物の壁面部を対象とする作業足場にそのまま適用することは不可能である。
その点、上記特許文献２に記載の作業足場は、バラ積船の積み荷室の傾斜壁面を対象とするので、建物の壁面部を対象とする作業足場にそのまま適用することは可能である。
しかしながら、この特許文献２に記載の作業足場は、上方に位置する足場板が下方に位置するベース台車に対してオーバーハング状に突出した構造で、安定性が悪く、そのため、ベース台車上にバランスウェイトを載置して安定性を確保してはいるものの、その安定性の確保には限界がある。
すなわち、高層ビルのような高い建物の壁面部を対象とすると、足場そのものが非常に高くなるため、たとえバランスウェイトを使用しても安定性の面で問題が残る。更に、対象となる壁面部が上部ほど大きく奥側に位置するような場合には、ベース台車に対する足場板のオーバーハング距離（突出距離）も大きくなり、実際上、実施不可能となる可能性もある。
【０００５】
本発明は、このような従来の問題点に着目したもので、その目的は、対象となる建物の壁面部が上部ほど奥側または手前側に位置する場合であっても、比較的簡単な構造で安定した設置が可能な作業足場の設置構造を提供することにある。
【課題を解決するための手段】
【０００６】
上記目的を達成するための本発明による作業足場の設置構造は、一対の支柱部材と、その一対の支柱部材間に架設する梁部材と、その梁部材に沿って架設する作業用の足場板とを備えた作業足場セットの複数が、建物の壁面部の近傍に設置される作業足場の設置構造であって、
その特徴構成は、前記建物が上部ほど奥側または手前側に位置する壁面部を備え、前記複数の作業足場セットが、各一対の支柱部材を前記壁面部の両側方に立設し、かつ、各足場板を前記壁面部に対応した状態で高さを異ならせて設置される点にある。
【０００７】
上記特徴構成によれば、複数の作業足場セットが、各一対の支柱部材を建物の壁面部の両側方に立設し、かつ、各足場板を壁面部に対応した状態で高さを異ならせて設置されるので、対象となる建物の壁面部が上部ほど奥側または手前側に位置する壁面部であっても、その壁面部の近傍に各足場板を位置させることができる。
そして、その各足場板は、当該壁面部の両側方に立設した一対の支柱部材により支持されるので、上部ほど奥側または手前側に位置する壁面部を対象とする作業足場を比較的簡単な構造で安定した状態で設置することができる。
【０００８】
本発明による作業足場の設置構造の更なる特徴構成は、前記建物が上部ほど奥側に位置する壁面部を備え、前記梁部材のうちの上方に位置する梁部材が、前記壁面部の下方部分を跨ぐ状態で設置される点にある。
【０００９】
上記特徴構成によれば、梁部材のうちの上方に位置する梁部材が、対象となる壁面部の下方部分を跨ぐ状態で設置されるので、その壁面部が上部ほど奥側に位置する壁面部であっても、壁面部の両側方に立設した一対の支柱部材により梁部材を安定よく確実に支持することができ、その結果、足場板を安定よく支持して壁面部の近傍に位置させることができる。
【００１０】
本発明による作業足場の設置構造の更なる特徴構成は、前記梁部材が、スパンの大なる梁枠で構成される点にある。
【００１１】
上記特徴構成によれば、梁部材が、剛性の大きなスパンの大なる梁枠で構成されるので、対象となる壁面部がたとえ横方向に幅広の壁面部であっても、その幅広の壁面部に対応することが可能となり、また、その壁面部が上部ほど奥側に位置する壁面部であっても、その壁面部の下方部分を跨いで設置することができる。
【００１２】
本発明による作業足場の設置構造の更なる特徴構成は、前記各一対の支柱部材のうちの一方の支柱部材が、前記複数の作業足場セットの一方の支柱部材を兼用する点にある。
【００１３】
上記特徴構成によれば、各一対の支柱部材のうちの一方の支柱部材が、複数の作業足場セットの一方の支柱部材を兼用するので、支柱部材の兼用による構造の簡素化および作業足場設置に要する費用の削減を図ることができる。
【図面の簡単な説明】
【００１４】
【図１】作業足場の設置構造の要部を示す斜視図
【図２】作業足場の設置構造の要部を示す平面図
【図３】作業足場の詳細を示す斜視図
【図４】別実施形態の作業足場の設置構造の要部を示す斜視図
【図５】別実施形態の作業足場の設置構造の要部を示す平面図
【発明を実施するための形態】
【００１５】
本発明による作業足場の設置構造の実施形態を図面に基づいて説明する。
本発明の作業足場は、例えば、図１および図２に示すように、上部ほど徐々に奥側に位置し、かつ、上部ほど徐々に左右方向の幅が狭くなるように連続して傾斜した壁面部Ｗ１を備えた建物Ｂを対象とし、その傾斜した壁面部Ｗ１の近傍に設置される。
この作業足場は、複数の作業足場セットＳ（Ｓａ〜Ｓｃ）により構成されるが、各作業足場セットＳａ〜Ｓｃは、上下方向の高さと横方向の長さが異なるのみで、主要部分についてはほぼ同じ構成である。したがって、各作業足場セットＳａ〜Ｓｃの詳細は、図３にまとめて記載し、図１および図２においては、図面が煩雑化するのを避けるため、各作業足場セットＳａ〜Ｓｃの主要部のみ記載する。同様に、実際の実施に際しては、傾斜した壁面部Ｗ１以外の壁面部に通常の作業足場が設置されるが、それも省略してある。
【００１６】
図１〜図３を参照して、作業足場は、左右一対の支柱部材１、２と、その一対の支柱部材１、２の間にわたって架設する梁部材３と、その梁部材３に沿って架設する作業用の足場板４とをひとつのセットＳとして、その作業足場セットＳの複数が、壁面部Ｗ１の近傍に設置される。梁部材３には、剛性の大きなスパンの大なる梁枠が使用され、その梁枠３が幅方向を上下方向に向け、かつ、互いに対向する状態で２本架設される。
この実施形態では、作業足場セットＳが３セット、つまり、最下方に位置する梁枠３ａを有する第１作業足場セットＳａ、中間に位置する梁枠３ｂを有する第２作業足場セットＳｂ、最上方に位置する梁枠３ｃを有する第３作業足場セットＳｃの３つの作業足場セット３ａ〜３ｃが設置される。
なお、設置する作業足場セットＳの数は、特に３つに限るものではなく、対象とする壁面部Ｗ１の大きさや形状などに応じて適宜変更可能である。
【００１７】
第１作業足場セットＳａを構成する一方の支柱部材１ａは、互いに対をなす２本の支柱５ａにより構成され、詳しい説明は省略するが、各支柱５ａは、例えば、多数本のパイプ材を上下方向に接続して構成され、他方の支柱部材２ａも同様で、多数本のパイプ材を上下方向に接続した２本の支柱６ａによって構成される。
同様に、第２作業足場セットＳｂを構成する一対の支柱部材１ｂ、２ｂは、それぞれ多数本のパイプ材からなる２本の支柱５ｂ、６ｂにより構成され、第３作業足場セットＳｃを構成する一対の支柱部材１ｃ、２ｃも、それぞれ多数本のパイプ材からなる２本の支柱５ｃ、６ｃにより構成される。
【００１８】
第１〜第３作業足場セットＳａ〜Ｓｃを構成する左右一対の支柱部材１ａ〜１ｃ、２ａ〜２ｃは、それぞれ各梁枠３ａ〜３ｃの高さに対応する壁面部Ｗ１の両側方に立設され、各梁枠３ａ〜３ｃが、壁面部Ｗ１の下方部分を跨ぐ状態で設置される。
なお、この実施形態では、図２より明らかなように、最下方に位置する梁枠３ａも、壁面部Ｗ１の下方部分をわずかに跨ぐ状態で設置されているが、最下方に位置する梁枠３ａは、必ずしも壁面部Ｗ１の下方部分を跨ぐ必要はなく、最下方よりも上方に位置する梁枠３ｂ、３ｃが、壁面部Ｗ１の下方部分を跨ぐように設置されればよい。
【００１９】
第１〜第３作業足場セットＳａ〜Ｓｃにおいて、各梁枠３ａ〜３ｃ上には、図３に示すように、各梁枠３ａ〜３ｃに沿って、かつ、複数段にわたって、ビティ足場などの枠組み足場７が多数設置され、各枠組み足場７が、それぞれ連結材８で互いに連結され、必要な箇所には筋交い材９が設けられ、図示はしないが、手摺りや階段なども設置される。
そして、各作業足場セットＳａ〜Ｓｃにおいて、各枠組み足場７間や梁枠３ａ〜３ｃ上に多数の作業用の足場板４ａ〜４ｃが載置固定され、第１作業足場セットＳａにおいては、複数の足場板４ａが、壁面部Ｗ１に対応した状態で上下に高さを異ならせ、かつ、その梁枠３ａに沿って設置される。
同様に、第２作業足場セットＳｂにおいては、複数の足場板４ｂが、壁面部Ｗ１に対応した状態で高さを異ならせ、かつ、梁枠３ｂに沿って設置され、第３作業足場セットＳｃにおいても、複数の足場板４ｃが、壁面部Ｗ１に対応した状態で高さを異ならせ、かつ、梁枠３ｃに沿って設置される。
【００２０】
〔別実施形態〕
（１）つぎに、別実施形態について説明するが、重複説明を避けるため、先の実施形態で説明した構成については、同じ符号を付すことで説明を省略し、主として先の実施形態と異なる構成について説明する。
先の実施形態では、上部ほど徐々に奥側に位置し、かつ、上部ほど徐々に左右方向の幅が狭くなるような壁面部Ｗ１を備えた建物Ｂを対象とした形態を示したが、例えば、図４に示すように、上部ほど徐々に手前側に位置し、かつ、左右方向の幅が同じ壁面部Ｗ２を備え、更に、その壁面部Ｗ２の上方に連続して上部ほど徐々に奥側に位置し、かつ、左右方向の幅が同じ壁面部Ｗ１を備えた建物Ｂを対象として実施することもできる。
【００２１】
この別実施形態においても、作業足場セットＳが３セット、つまり、最下方に位置する第１作業足場セットＳａ、中間に位置する第２作業足場セットＳｂ、最上方に位置する第３作業足場セットＳｃの３つの作業足場セット３ａ〜３ｃが、各支柱部材１ａ〜１ｃ、２ａ〜２ｃを壁面部Ｗ１、Ｗ２の横側方に立設して設置される。
そして、中間に位置する第２作業足場セットＳｂには、壁面部における外方への突出部、つまり、両壁面部Ｗ１、Ｗ２の接続部を挟んで、その上下にそれぞれ梁枠３ｂが設置され、上方に位置する梁枠３ｂ上に多数の枠組み足場５ｂや足場板４ｃが設置される。
【００２２】
（２）これまでの実施形態では、各作業足場セットＳａ〜Ｓｃに対して、それぞれ一対の支柱部材１ａ〜１ｃ、２ａ〜２ｃを設けた例を示したが、各一対の支柱部材１ａ〜１ｃ、２ａ〜２ｃのうちの一方の支柱部材が、他の作業足場セットＳａ〜Ｓｃの一方の支柱部材を兼用するように構成したり、一方の支柱部材の一部が、他の支柱部材の一部を兼用するように構成することもできる。
一例を挙げると、図５の（ａ）に示すように、第３作業足場セットＳｃの左側の支柱部材１ｃが、第２作業足場セットＳｂの左側の支柱部材１ｂを兼用するように構成することができる。また、図５の（ｂ）に示すように、第１作業足場セットＳａの右側の支柱部材２ａの一部である１本の支柱６ａが、第２作業足場セットＳｂの右側の支柱部材２ｂの一部である１本の支柱６ｂを兼用したり、他の１本の支柱６ｂが、第３作業足場セットＳｃの右側の支柱部材２ｃの一部である１本の支柱６ｃを兼用するように構成することもできる。
なお、図５の（ａ）、（ｂ）において、符号「Ｕ」で示したのは、足場ユニットである。すなわち、これまでの実施形態では、左右一対の支柱部材１（１ａ〜１ｃ）、２（２ａ〜２ｃ）をそれぞれ２本の支柱５ａ〜５ｃ、６ａ〜６ｃにより構成した例を示したが、例えば、２本の支柱に代えて、これら図５の（ａ）、（ｂ）に示すように、２本の支柱を含む状態で１スパン分の枠組み足場ユニットＵを設け、当該枠組み足場ユニットＵを支柱部材１、２として実施することもできる。
【符号の説明】
【００２３】
１、２      支柱部材
３          梁部材としての梁枠
４          作業用の足場板
Ｓ          作業足場セット
Ｂ          建物
Ｗ１        上部ほど奥側に位置する壁面部
Ｗ２        上部ほど手前側に位置する壁面部
【図１】
2015055058.tif 000003
【図２】
2015055058.tif 000004
【図３】
2015055058.tif 000005
【図４】
2015055058.tif 000006
【図５】
2015055058.tif 000007